(57)【特許請求の範囲】
【請求項１】
浴室洗い場の床面から５００mm〜１０００mmの高さに設けられた回転軸から上方に向かって、複数の散水ノズルを有する回転アームが伸びているとともに、前記回転軸から下方に向かって、壁面に固定された状態で複数の散水ノズルを有する固定アームが垂設されて構成され、
前記回転アームは前記回転軸を介し、立設状態から手前に倒して任意の角度または段階的な角度に回転でき、該回転アームの長さは５００mm〜１０００mmに設定されているとともに、
前記回転アームが前記固定アームに重ね合わされた状態で、固定アームの散水ノズルと、回転アームの散水ノズルが干渉しないように設定されていることを特徴とするシャワー装置。
【発明の詳細な説明】
【０００１】
【産業上の利用分野】
この発明は、浴室等に設けられるシャワー装置に関するものである。
【０００２】
【従来の技術及びその課題】
従来、複数の散水ノズルを有するアームを備えたシャワー装置について多数の出願があり、例えば特開平９−１２２０３４号公報に開示されているように、装置の上部に回転軸を有し、下方に伸びたアームにノズルを付けた構造のものがあるが、このような構造では、所定高さの椅子に着座して全身にシャワーを浴びる場合には問題はないが、立った状態や、低い風呂椅子に座っては使用できないものであった。
【０００３】
なお、アームを上方に上げて行けば、立った状態で使用できないこともないが、その場合には、散水ノズルからの散水が体に上手く当たらずに、関係のない方向に散水され、体が温まらず、また水が無駄になってしまうという問題点があり、また、アームを上に上げた状態で、浴室の扉を開けたりすると、扉がアームにぶつかってしまったり、扉が開けられない状態が生ずるという問題点がある。
【０００４】
また、全身シャワーと、通常の洗髪とか身体を洗う場合のシャワー行為では、体の向きが反対となり、身体の向きを変えるのが面倒で、特に車椅子の場合では、洗い場で向きを変えるのが困難となるという問題点があり、また、鏡を見ながら全身シャワーができず、座った状態でアームを動かすには体をひねる必要があり、操作しにくく、操作部も体の横から後ろ側の範囲にあるために、非常に操作しにくいという問題点があった。
【０００５】
【課題を解決するための手段】
本発明は上記従来の問題点に鑑み案出したものであって、立った状態でも、座った状態でも、全身に良好にシャワーを浴びることができ、また、向きを変える必要がなく、操作も容易となるシャワー装置を提供せんことを目的とし、その要旨は、浴室洗い場の床面から５００mm〜１０００mmの高さに設けられた回転軸から上方に向かって、複数の散水ノズルを有する回転アームが伸びているとともに、前記回転軸から下方に向かって、壁面に固定された状態で複数の散水ノズルを有する固定アームが垂設されて構成され、前記回転アームは前記回転軸を介し、立設状態から手前に倒して任意の角度または段階的な角度に回転でき、該回転アームの長さは５００mm〜１０００mmに設定されているとともに、前記回転アームが前記固定アームに重ね合わされた状態で、固定アームの散水ノズルと、回転アームの散水ノズルが干渉しないように設定されていることである。
【０００６】
【実施例】
以下、本発明の実施例を図面に基づいて説明する。
図１は、浴室内にシャワー装置を設置した状態の浴室の斜視図であり、浴室１に設けられた浴槽２の側方の洗い場３側の壁面４には、シャワー装置５が設けられており、このシャワー装置５は、図２に拡大して示すように、壁面４に固定された基台部６に切欠状に形成された凹部６ａ，６ｂに、横方向に回転軸７が設けられて、回転軸７から上方に向かって回転アーム１２，１２が伸びており、凹部６ａ，６ｂからそれぞれ下方に向かって壁面４に固定された状態で固定アーム１１，１１が垂設されており、固定アーム１１の前面には、それぞれ散水ノズル１１ａ，１１ｂが備えられている。
【０００７】
また、前記回転軸７を中心として上下に回動可能な回転アーム１２，１２にも、それぞれ散水ノズル１２ａ，１２ｂ，１２ｃが備えられている。
この一対の回転アーム１２，１２間には、壁面４に鏡１３が固設されている。また、基台部６の前面には、温度を調節できる温調ハンドル８と、切替ハンドル９が設けられており、この切替ハンドル９は、シャワー装置５と一般的なハンドシャワー１０を切り替え操作できるものである。
なお、回転アーム１２は、任意の角度位置で保持できるように、または、段階的に回転アーム１２の角度位置が保持できるように構成しておくことができる。
【０００８】
本例のシャワー装置５においては、前記回転軸７は、洗い場の床面から図中ａで示す８５０mmの高さ位置に設けられており、このａ寸法は５００mm〜１０００mmの範囲内に設定するのが好ましい。
また前記回転アーム１２の長さは、図中ｂで示す７５０mmとなっており、このｂ寸法は５００mm〜１０００mmの範囲内に設定するのが好ましい。
【０００９】
回転アーム１２は回転軸７を支点として上下方向に回動することができ、図２のように、上方へ立設状態として、散水ノズル１２ａ，１２ｂ，１２ｃから散水させて、立った状態でシャワーを浴びることができ、また、固定アーム１１の散水ノズル１１ａ，１１ｂからも散水して、下半身にもシャワーを浴びることができるものとなる。
図３は、立った状態で全身シャワーを浴びている状態の側面構成図である。
【００１０】
また、洗い場３上で椅子に腰掛け、座って全身シャワーを浴びる場合には、図４の斜視図で、また図５の側面図で示すように、回転アーム１２，１２を下方へ向かって傾斜させ、適当な傾斜角度で保持させて、座った状態で背中側にも良好に散水させることができるものである。即ち、座った状態で散水ノズル１２ａから、背中に向かって良好に散水させて、背中を良好に暖めることができるものとなる。
この場合、回転軸７が相当高い位置にあるため、回転アーム１２，１２が肩に接近しすぎることがなく、回転アーム１２を十分に倒し、適切な位置にノズル１２ａ，１２ｂ，１２ｃを配置させて、座った状態で全身にシャワーを浴びることができる。
【００１１】
なお、回転軸７の位置が高く、回転アーム１２と膝の干渉がないために、壁面４に近づいて全身シャワーを浴びることができ、回転アーム１２は差ほど長くなくても良好に背中に散水できるものとなり、回転アーム１２を長くする必要がないため、重量も軽くでき、また、浴室の扉との干渉を回避でき、浴室への出入り時に浴室の扉が回転アーム１２と衝突することがない。しかも回転アーム１２を回動させる際に、洗い場３の床面とか天井面に衝突することなく良好に使用することができるものとなる。
【００１２】
さらに、回転アーム１２は、図６及び図７に示すように、下方側へ垂下状に収納することもでき、この図６及び図７の収納状態では、回転アーム１２が固定アーム１１の前面側に重ね合わされた状態で、スッキリとした状態に収納されるものであり、この場合、固定アーム１１の散水ノズル１１ａ，１１ｂと、回転アーム１２の散水ノズル１２ａ，１２ｂ，１２ｃが干渉しないように設定しておくと、より良好な収納状態が得られるものである。
なお、この収納状態では、全ての散水ノズル１１ａ，１１ｂ，１２ａ，１２ｂ，１２ｃは隠されるために、浴室内がスッキリとした状態となり、また、散水ノズル１１ａ，１１ｂ，１２ａ，１２ｂ，１２ｃの汚れが少なくなり、破損も良好に防ぐことができるものとなる。
【００１３】
なお、本例のシャワー装置５では、鏡１３を見ながら、立った状態でも、また座った状態でも全身シャワーを浴びることができ、しかも、ハンドシャワー１０による洗髪行為や身体を洗う際にも、手の届く範囲に温調ハンドル８及び切替ハンドル９が存在するために、向きを逐一変える必要がなく、操作を極めて容易に行うことができ、車椅子で浴室内に入った時にも、良好に車椅子に座った状態で全身シャワーを浴びることができ、操作も容易なものとなる。
【００１４】
なお、前記固定アーム１１の下側の散水ノズル１１ｂの位置まで固定アーム１１内に配管を通しておき、この散水ノズル１１ｂの位置で水抜きできるように構成しておけば、使用しない時に、最下端の散水ノズル１１ｂから良好にシャワー装置５内の水を抜き取ることができるものとなる。
【００１５】
【発明の効果】
本発明のシャワー装置は、浴室洗い場の床面から５００mm〜１０００mmの高さに設けられた回転軸から上方に向かって、複数の散水ノズルを有する回転アームが伸びているとともに、前記回転軸から下方に向かって、壁面に固定された状態で複数の散水ノズルを有する固定アームが垂設されて構成され、前記回転アームは前記回転軸を介し、立設状態から手前に倒して任意の角度または段階的な角度に回転でき、該回転アームの長さは５００mm〜１０００mmに設定されているとともに、前記回転アームが前記固定アームに重ね合わされた状態で、固定アームの散水ノズルと、回転アームの散水ノズルが干渉しないように設定されていることにより、立った状態で全身シャワーを浴びることができ、また、回転アームを手前に倒し、姿勢とか身長差に合わせて適切な位置に回転アームを保持することで、椅子に腰掛けた状態でも全身シャワーを浴びることができ、しかも鏡に向かって安心して全身シャワーを浴びることができて、全身シャワーと通常のハンドシャワーとの切り替え等の際に身体の向きを変える必要もなく、ハンドルを楽に操作できて、身体をひねることもなく、操作が容易なものとなる。しかも回転軸の高さと回転アームの長さが適切なために、椅子に腰掛けて使用する場合でも肩にアームが接近し過ぎることがなく、回転アームを十分倒して適切な位置に散水ノズルを配置できるものとなり、また、膝が回転アームと干渉しないために、壁に近づいて使用することができ、上手く背中にも散水することができるものとなる。
また、下半身にも十分に散水できて、良好に全身を暖めることができるものとなる。
また、回転アームが固定アームに重ね合わされた時に、散水ノズルどうしが衝突して破損するのを良好に防ぐことができるものとなる。
【図面の簡単な説明】
【図１】  シャワー装置を備えた浴室の斜視構成図である。
【図２】  シャワー装置を立った状態で使用している斜視構成図である。
【図３】  図２の側面構成図である。
【図４】  シャワー装置を座った状態で使用している斜視構成図である。
【図５】  図４の側面構成図である。
【図６】  シャワー装置の回転アームを下方側に収納した状態の斜視構成図である。
【図７】  下方側に収納させた状態の側面構成図である。
【符号の説明】
１  浴室
３  洗い場
４  壁面
５  シャワー装置
６  基台部
６ａ，６ｂ  凹部
７  回転軸
８  温調ハンドル
９  切替ハンドル
１０  ハンドシャワー
１１  固定アーム
１１ａ，１１ｂ  散水ノズル
１２  回転アーム
１２ａ，１２ｂ，１２ｃ  散水ノズル
１３  鏡
【図１】
0003728587.tif 000002
【図２】
0003728587.tif 000003
【図３】
0003728587.tif 000004
【図４】
0003728587.tif 000005
【図５】
0003728587.tif 000006
【図６】
0003728587.tif 000007
【図７】
0003728587.tif 000008